(57)【特許請求の範囲】
【請求項１】
流体搬送路の途中に介装される流体磁化処理具であり、一端部に流体の流入口、他端部に流体の流出口を有するケース体の内部に磁化処理ユニットが装填されて成り、前記磁化処理ユニットは、板面全体に複数個の通水孔と複数個のビス止め孔とが蜂の巣状に開設された一対の端板と、長さ方向を揃えて互いに平行させた状態で配設される複数本の磁界発生管とを有し、各磁界発生管の両端部が各端板のビス止め孔へ外側より挿入されたビスにより各端板にそれぞれビス止めされて一体化されており、各磁界発生管の内部に、複数個の永久磁石を積層したものをヨークを中間に介在させた状態で複数段積層して、各ヨークの外周面に外部磁界を生じさせるためのＮ，Ｓの各磁極を交互に形成することにより、前記ケース体の内部の各磁界発生管とその周囲の磁界発生管との間隙に、各磁界発生管の外部磁界が作用する流体通路を形成して成る流体磁化処理具。
【発明の詳細な説明】
【０００１】
【産業上の利用分野】
この発明は、水などの流体を磁化処理して流体を改質する流体磁化処理具に関連し、特にこの発明は、流体搬送路の途中に介装される構成の流体磁化処理具に関する。
【０００２】
【従来の技術】
従来、この種の流体磁化処理具は、水道水を軟質化するなどの目的で用いられており、図５に示すように、筒状ケース１００の内部にリング状をなす複数個の永久磁石１０１が積層状態で装填された構造のものが提案されている。筒状ケース１００の内部は、水道管１０２を挿通することが可能な中空孔１０３になっており、この中空孔１０３に水道管１０２を挿通させたとき、各永久磁石１０１による磁界が水道管１０２の内部に作用し、水道管１０２を流れる水が磁化処理される。
【０００３】
【発明が解決しようとする課題】
しかしながら、上記した従来例のように、水道管の外側より水道管の内部へ磁界を作用させる方式では、水道管１０２の内部の周辺部は、各永久磁石１０１に接近するために強い磁界が作用するが、中心部は、各永久磁石１０１から遠いために弱い磁界しか作用しない。その結果、水道管１０２の内部の周辺部と中心部とでは、磁界の強さに大きな差異が生じ、水道水を均一かつ強力に磁化処理できず、磁化処理能力を低下させるという問題がある。
【０００４】
この発明は、上記問題に着目してなされたもので、複数個の永久磁石が装填された複数本の磁界発生管の周囲に、磁界発生管の外部磁界が作用する流体経路を形成することにより、流体を均一かつ強力に磁化処理できる流体磁化処理具を提供することを目的とする。
【０００５】
【課題を解決するための手段】
この発明は、流体搬送路の途中に介装される流体磁化処理具であり、一端部に流体の流入口、他端部に流体の流出口を有するケース体の内部に磁化処理ユニットが装填されて成る。前記磁化処理ユニットは、板面全体に複数個の通水孔と複数個のビス止め孔とが蜂の巣状に開設された一対の端板と、長さ方向を揃えて互いに平行させた状態で配設される複数本の磁界発生管とを有し、各磁界発生管の両端部が各端板のビス止め孔へ外側より挿入されたビスにより各端板にそれぞれビス止めされて一体化されている。各磁界発生管の内部に、複数個の永久磁石を積層したものをヨークを中間に介在させた状態で複数段積層して、各ヨークの外周面に外部磁界を生じさせるためのＮ，Ｓの各磁極を交互に形成することにより、前記ケース体の内部の各磁界発生管とその周囲の磁界発生管との間隙に、各磁界発生管の外部磁界が作用する流体通路を形成している。
【０００７】
【作用】
流体搬送路を流れる流体は流入口よりケース体内に流入し、磁化処理ユニットの一方の端板の各通水孔を通って複数の流体通路へ導入される。各流体通路には、各磁界発生管の外部磁界が作用しており、導入された流体は前記外部磁界により磁化処理されつつ各流体通路を通過した後、他方の端板の通水孔を通ってケース体の流出口へ至り、流出口より流体搬送路へ流出する。
【０００９】
【実施例】
図１は、この発明の一実施例である流体磁化処理具１の使用例を示す。
図示例の流体磁化処理具１は、水道管７０ａ，７０ｂの途中に介装されており、水道管７０ａ，７０ｂを流れる水道水に磁化処理を施して水道水を改質する。
【００１０】
この流体磁界処理具１は、六角筒状をなすケース体１０の一端に大径のフランジ１１Ａ、他端に小径のフランジ１１Ｂが形成されたものであり、大径のフランジ１１Ａの側は、連結管６０を介して上流側の水道管７０ａに連結され、小径のフランジ１１Ｂの側は、直接、下流側の水道管７０ｂに連結されている。
【００１１】
前記連結管６０は、両端に直径の異なるフランジ６１Ａ，６１Ｂが一体形成されて成り、一端の大径のフランジ６１Ａは、流体磁化処理具１の大径のフランジ１１Ａに突き合わされ、複数のボルト５１ａおよびナット５１ｂにより一体連結される。
連結管６０の他端の小径のフランジ６１Ｂは、上流側の水道管７０ａの端部に装着された小径のフランジ７１に突き合わされ、複数のボルト５２ａおよびナット５２ｂにより一体連結される。
流体磁化処理具１の小径のフランジ１１Ｂは、下流側の水道管７０ｂの端部に装着された小径のフランジ７２に突き合わされ、複数のボルト５３ａおよびナット５３ｂにより一体連結される。
【００１２】
前記流体磁化処理具１は、図２に示すように、一方の開口端面を流入口１２、他方の開口端面を流出口１３とするケース体１０と、このケース体１０の中空内部に装填される磁化処理ユニット２０とから成る。
【００１３】
前記磁化処理ユニット２０は、一対の端板２１，２２と、長さ方向を揃えて互いに平行させた状態で配設される複数本の磁界発生管３０および複数本の固定管４０とから成るもので、各磁界発生管３０および各固定管４０の両端部が各端板２１，２２にビス止めされて一体化されている。
【００１４】
各端板２１，２２は、図３に示すように、六角板状のものであり、板面全体に複数個のビス止め孔２３と複数個の通水孔２４とが蜂の巣状に開設されている。各ビス止め孔２３の位置には磁界発生管３０や固定管４０が位置し、それぞれの端部がビス５４により端板２１，２２に止着固定される。
【００１５】
各ビス止め孔２３は、上端縁ｕから下端縁ｄにかけて５行にわたり整然と配置されており、最上および最下の各行にはそれぞれ３個のビス止め孔２３が、第２行目および第４行目にはそれぞれ４個のビス止め孔２３が、中央の第３行目には５個のビス止め孔２３が、それぞれ開設されている。
最上行および最下行の中央位置の各ビス止め孔２３と第３行目の両端位置の各ビス止め孔２３には、固定管４０がそれぞれビス止めされ、その他のビス止め孔２３には磁界発生管３０がビス止めされる。
【００１６】
各行のビス止め孔２３は順次位置がずらせてあり、各ビス止め孔２３と隣の行の２個のビス止め孔２３，２３とは三角形または逆三角形（図中、一点鎖線で示す。）の配置となる。前記した各通水孔２４は、この三角形または逆三角形の中心位置に開設される。
なお、図２および図３において、２５は各端板２１，２２に取り付けられた把手であり、この把手２５を持って磁化処理ユニット２０の持ち運びや、ケース体１０に対する磁化処理ユニット２０の出し入れなどを行う。
【００１７】
各磁界発生管３０および固定管４０は、同一長さおよび同一径のものであり、ケース体１０よりやや短い長さに設定されている。
各磁界発生管３０は、外部磁界を全長にわたって生じさせるもので、ケース体１０の内部の各磁界発生管３０と、その周囲の磁界発生管３０との間隙に、各磁界発生管３０の外部磁界が作用する流体通路２が形成される。各磁界発生管３０は互いに接近して配置してあり、各流体通路２には、均一かつ強い磁場が生成される。
【００１８】
各磁界発生管３０は、図４に示すように、ステンレスなどの円筒状の非磁性管３８の内部に、複数個の永久磁石３１を積層状態に装填した構造のものであり、一方、各固定管４０は、同じ非磁性管３８を中空のまま用いたものである。
各固定管４０は、図３に示すように、上下端および左右端に位置し、端板２１，２２間に複数の磁界発生管３０を一体に保持する機能を有するが、この中空の固定管４０に代えて、磁界発生管３０を用いてもよい。
なお、各磁界発生管３０や各固定管４０の外周面に螺旋状の突条やフィンを突設すれば、各磁界発生管３０の外周に沿って螺旋状に周回する流体通路を形成でき、磁界を作用させ得る流体通路の通路長さを長く設定できる。
【００１９】
前記の各永久磁石３１として、この実施例では、薄板状のフェライト磁石が用いてあり、４個の永久磁石３１を積層したものを１個のブロック３２とし、このブロック３２をヨーク３３を中間に介在させた状態で複数段積層している。
各ブロック３２の４個の永久磁石３１は、Ｎ磁極とＳ磁極を対接するよう配列されている。隣合うブロック３２，３２では、中間にヨーク３３を挟んで同磁極が対向し、これにより各ヨーク３３の外周面に外部磁界を生じさせるためのＮ，Ｓの各磁極が交互に形成される。なお、各永久磁石３１はフェライト以外のものを使用することができ、また各永久磁石３１の配列もこの実施例に限られないことはいうまでもない。
【００２０】
各磁界発生管３０の内部の両端部には、ステンレス板より成るスペーサ３４と水密構造にするためのゴムパッキング３５とが挿入され、両端の開口部はステンレス製の塞ぎ板３６で閉塞されている。各塞ぎ板３６の外面中央にはねじ穴３７が形成されており、端板２１，２２の外側よりビス止め孔２３へビス５４を挿入してねじ穴３７へねじ込むことにより、磁界発生管３０が端板２１，２２に止め固定される。
なお、各固定管４０も、両端の開口部が同様の塞ぎ板で塞がれ、ビス５４により端板２１，２２に止め固定されている。
【００２１】
上記した構成の流体磁化処理具１が水道管７０ａ，７０ｂの間に介装された状態において、上流側の水道管７０ａからの水道水は、流体磁化処理具１のケース体１０内に流水口１２より流入し、磁化処理ユニット２０の一方の端板２１の各通水孔２４を通って複数の流体通路２へ導入される。各流体通路２は、各磁界発生管３０による外部磁界が作用しており、しかも隣り合う磁界発生管３０，３０間の距離が接近しているので、水道水は、各流体通路２を通過するとき、均一かつ強い外部磁界の作用を受けて磁化処理される。
【００２２】
実験によれば、各磁界発生管３０，３０間の距離を３ｍｍに設定したとき、流体通路２には、２８００ガウスの均一な磁場を生成し得ることを確認している。因に、図５の従来例では、前記中空孔１０３の直径が２０ｍｍである場合、中空孔１０３の外周部分では３０００ガウス、中心部分ではその２分の１以下の１３００ガウスであったことも確認している。
このようにして、水道水は、磁化処理を受けながら各流体通路２を通過した後、他方の端板２２の通水孔２４を通って流出口１３へ到達し、流出口１３から下流側の水道管７０ｂへ導出される。
【００２３】
なお、上記実施例では、１個の流体磁化処理具１を用いているが、複数個の流体磁化処理具１，１を連ねて用いることもできる。
また、上記の実施例は、水道水を磁化処理して改質するものであるが、この発明の流体磁化処理具１は、水に限らず、石油のような炭化水素系の液体、さらには液体に限らず気体に、同様の磁化処理を施して流体を改質することも可能である。
【００２４】
【発明の効果】
この発明は上記の如く、一端部に流体の流入口、他端部に流体の流出口を有するケース体の内部に、複数個の永久磁石とヨークとを装填した複数本の磁界発生管が互いに平行させた状態で配設された磁化処理ユニットを装填して、ケース体の内部の各磁界発生管と周囲の磁界発生管との間隙に、各磁界発生管の外部磁界が作用する流体通路を形成したから、各磁界発生管を接近させて配置することにより、流体通路に均一かつ強力な磁界を作用させることができ、流体の磁化処理能力を向上できる。また、複数本の磁界発生管の両端部を複数個の通水孔がそれぞれ開設された一対の端板にそれぞれビス止めにより一体化して磁化処理ユニットを構成したから、磁化処理ユニットをケース体に挿入するだけで流体磁化処理具を簡単に組み立てることができ、また、磁化処理ユニットの保守や点検も容易に行うことができる。
【図面の簡単な説明】
【図１】この発明の一実施例である流体磁化処理具の使用例を示す正面図である。
【図２】流体磁化処理具の構成を分解して示す正面図である。
【図３】磁化処理ユニットの側面図である。
【図４】１本の磁界発生管を破断して示した磁化処理ユニットの正面図である。
【図５】従来の流体磁化処理具の構成を示す断面図である。
【符号の説明】
１    流体磁化処理具
２    流体通路
１０  ケース体
１２  流入口
１３  流出口
２０  磁化処理ユニット
２１，２２  端板
３０  磁界発生管
３１  永久磁石
【図１】
0003590258.tif 000002
【図２】
0003590258.tif 000003
【図３】
0003590258.tif 000004
【図４】
0003590258.tif 000005
【図５】
0003590258.tif 000006